(57)【要約】【課題】薬品名称や薬品の効能、およびさまざまな情報を音声による案内を調剤者に伝達することによって調剤業務における薬品の取り違い、二重の調剤、調剤漏れを防止する。【解決手段】音声案内機能つきの小型情報処理装置で動作可能な、調剤用プログラムを作成し、動作させた。薬剤をバーコード及びICタグ読み取りスキャナーを介して小型情報処理装置で認識した際に、同時に薬剤名称や、薬剤の効能を小型情報処理装置から音声案内することで、調剤者の注意を喚起でき、調剤の過誤が防止できる。【選択図】図２
0003132263.tif 000002
【実用新案登録請求の範囲】
【請求項１】
薬品の保存されている容器および処方箋に貼付されているバーコード及びICタグを、本体に接続されたバーコード及びICタグ読み取り機で読み取る際に、この読み取り機から送られる信号を受け付ける手段と、受け付けた信号を音声案内に変換が可能であることを特徴とする小型情報処理装置。
【請求項２】
前記のバーコード及びICタグ読み取り機から送られる信号の内容に対応する、薬品の名称と、薬品の効能および各種情報についての音声案内を小型情報処理装置に実行させることを特徴とするプログラム。
【考案の詳細な説明】
【技術分野】
【０００１】
本考案は、調剤における薬品の取り違い、二重の調剤、調剤漏れを防止できる、小型情報処理装置およびプログラムに関する。
【背景技術】
【０００２】
医療事故や過誤の大多数は医薬品および医療材料の誤認識・誤投薬・誤使用である。
そのため医療関係者はこれらの医療事故および過誤を防止しようと指差し確認や複数行為者での重複確認を行い、防止に努めている。
【０００３】
しかしながら、これまでの技術では薬品の取り間違いを防ぐことは完全とはいえない。
【特許文献１】特開２００６−３４１１２０号
【考案の開示】
【考案が解決しようとする課題】
【０００４】
これまでの方法では、薬品名称や薬品の効能、および様々な情報を文字として調剤者に示す方法であった。この場合、例えば薬品名称に１％という文字を含むものと１０％という文字を含むものでは文字の表記として酷似しているために混同しやすい。
本考案は上記の従来技術にはなかった、薬品名称や薬品の効能、およびさまざまな情報を音声による案内を調剤者に伝達することによって調剤業務における薬品の取り違い、二重の調剤、調剤漏れを防止することである。
【課題を解決するための手段】
【０００５】
本考案に関わるシステムでは、薬品の保存されている容器および処方箋に貼付されているバーコード及びICタグを読み取る事のできる読み取り機、ならびにこの読み取り機から送られる信号を受け付ける手段と受け付けた信号を音声案内に変換が可能であることを特徴とする小型情報処理装置を備える。
前記の読み取り機から送られる信号の内容に対応する、薬品の名称と、薬品の効能および各種情報についての音声案内を小型情報処理装置に実行させることを特徴とするプログラムが必要となる。
【０００６】
薬品の情報はバーコード及びICタグに正確に記載されており、またそれらを読み取り機に読み取らせることによって正確に小型情報処理装置へ信号を送る事ができる。
【０００７】
小型情報処理装置は薬品の情報に関わる信号を受け取り、音声案内に変換するプログラムへ信号を伝達する。
【０００８】
小型情報処理装置には、バーコード及び及びICタグに記録されている情報と音声情報をひもづけするマスターが備えられている。
【０００９】
上記マスターを介してプログラムは、変換した情報を音声出力装置に送り、音声が出力され、調剤者の注意を喚起する。
【考案の効果】
【００１０】
調剤者はバーコード及びICタグの認識と音声での薬剤名の読み上げで確実に薬剤を認識する事ができ、調剤業務の確実性と効率性が上昇する。
薬剤に関するバーコード及びICタグの読み取り機による認識の際に、更に音声にて薬剤名称や効能を機械的に読み上げることで、調剤者は意図した薬剤が手にあることを確実に認識することができる。
【００１１】
薬品名は同じだが含有量のみ異なる場合は薬品名が酷似しているために間違いが起こりやすいが、薬品名を音声として読み上げることでその違いが目視より明白であり、間違いに気づきやすい。
【００１２】
更に薬品名のあとに薬品の効能の読み上げも付加することで、更に調剤者への注意喚起が可能となる。
【考案を実施するための最良の形態】
【００１３】
以下に添付図面を参照して、この発明にかかる情報処理装置およびプログラムの最良な実施の形態を詳細に説明する。
図１は音声案内機能付き散薬監査システムの構成を示す図である。
【００１４】
１は小型情報処理装置、２はバーコード及びICタグ読み取りスキャナー、３は電子天秤である。
【００１５】
本発明を実施する形態は、小型情報処理装置としてタッチパネル型小型情報処理装置を適用した例である。しかし、本発明で使用する小型情報処理装置は、タッチパネル型に限ったものではなく、多様化した機能を有する装置であれば、同様の効果が期待できる。
【００１６】
図２は小型情報処理装置における処理フローである。
バーコード及びICタグ読み取りスキャナーで取得した（４）薬品コードを音声出力処理（５）に伝達し、音声案内が実行される。
【産業上の利用可能性】
【００１７】
調剤薬局において調剤業務を実施する際に使用し、医薬品および医療材料の誤認識・誤投薬・誤使用を防止する。
【図面の簡単な説明】
【００１８】
【図１】本考案で使用するの機器構成図である。
【図２】本考案で使用する小型情報処理装置における処理フローである。
【符号の説明】
【００１９】
１  小型情報処理装置
２  バーコード及びICタグ読み取りスキャナー
３  電子天秤
４  バーコード及びICタグ読み取りスキャナーによる薬品情報の読み取り
５  小型情報処理装置内の音声出力処理
【図１】
0003132263.tif 000003
【図２】
0003132263.tif 000004
【手続補正書】
【提出日】平成19年3月26日(2007.3.26)
【手続補正１】
【補正対象書類名】実用新案登録請求の範囲
【補正対象項目名】全文
【補正方法】変更
【補正の内容】
【実用新案登録請求の範囲】
【請求項１】
薬品の保存されている容器および処方箋に貼付されているバーコード及びICタグを読み取るバーコード及びICタグ読み取り機と、この読み取り機から送られた信号を音声案内に変換し音声出力装置から出力する小型情報処理装置と、を備えた散薬調剤監査システム。
【請求項２】
前記小型情報処理装置は前記のバーコード及びICタグ読み取り機から送られた信号の内容に対応する、薬品の名称と、薬品の効能および各種情報についての音声案内を前記音声出力装置に実行させる請求項１に記載の散薬調剤監査システム。
【手続補正２】
【補正対象書類名】明細書
【補正対象項目名】全文
【補正方法】変更
【補正の内容】
【考案の詳細な説明】
【技術分野】
【０００１】
本考案は、調剤における薬品の取り違い、二重の調剤、調剤漏れを防止できる、散薬調剤監査システムに関する。
【背景技術】
【０００２】
医療事故や過誤の大多数は医薬品および医療材料の誤認識・誤投薬・誤使用である。
そのため医療関係者はこれらの医療事故および過誤を防止しようと指差し確認や複数行為者での重複確認を行い、防止に努めている（特許文献１参照）。
【０００３】
しかしながら、これまでの技術では薬品の取り間違いを防ぐことは完全とはいえない。
【特許文献１】特開２００６−３４１１２０号公報
【考案の開示】
【考案が解決しようとする課題】
【０００４】
これまでの方法では、薬品名称や薬品の効能、および様々な情報を文字として調剤者に示す方法であった。この場合、例えば薬品名称に１％という文字を含むものと１０％という文字を含むものでは文字の表記として酷似しているために混同しやすい。
本考案の目的は上記の従来技術にはなかった、薬品名称や薬品の効能、およびさまざまな情報を音声による案内を調剤者に伝達することによって調剤業務における薬品の取り違い、二重の調剤、調剤漏れを防止することである。
【課題を解決するための手段】
【０００５】
本考案に関わるシステムでは、薬品の保存されている容器および処方箋に貼付されているバーコード及びICタグを読み取る事のできる読み取り機、ならびにこの読み取り機から送られた信号を受け付け、受け付けた信号を音声案内に変換して音声出力装置から出力する小型情報処理装置を備える。
前記の小型情報処理装置は、前記の読み取り機から送られた信号の内容に対応する、薬品の名称と、薬品の効能および各種情報についての音声案内を音声出力装置に実行させるプログラムを備えている。
【０００６】
薬品の情報はバーコード及びICタグに正確に記載されており、またそれらを読み取り機に読み取らせることによって正確に小型情報処理装置へ信号を送る事ができる。
【０００７】
小型情報処理装置は薬品の情報に関わる信号を受け取り、音声案内に変換するプログラムへ信号を伝達する。
【０００８】
小型情報処理装置には、バーコード及び及びICタグに記録されている情報と音声情報を関連づけするマスターが備えられている。
【０００９】
上記マスターを介してプログラムは、変換した情報を音声出力装置に送り、音声が出力され、調剤者の注意を喚起する。
【考案の効果】
【００１０】
調剤者はバーコード及びICタグの認識と音声での薬剤名の読み上げで確実に薬剤を認識する事ができ、調剤業務の確実性と効率性が上昇する。
薬剤に関するバーコード及びICタグの読み取り機による認識の際に、更に音声にて薬剤名称や効能を機械的に読み上げることで、調剤者は意図した薬剤が手にあることを確実に認識することができる。
【００１１】
薬品名は同じだが含有量のみ異なる場合は薬品名が酷似しているために間違いが起こりやすいが、薬品名を音声として読み上げることでその違いが目視より明白であり、間違いに気づきやすい。
【００１２】
更に薬品名のあとに薬品の効能の読み上げも付加することで、更に調剤者への注意喚起が可能となる。
【考案を実施するための最良の形態】
【００１３】
以下に添付図面を参照して、この考案にかかる情報処理装置およびプログラムの最良な実施の形態を詳細に説明する。
図１は音声案内機能付き散薬監査システムの構成を示す図である。
【００１４】
１は小型情報処理装置、２はバーコード及びICタグ読み取りスキャナー、３は電子天秤である。
【００１５】
本考案を実施する形態は、小型情報処理装置としてタッチパネル型小型情報処理装置を適用した例である。しかし、本発明で使用する小型情報処理装置は、タッチパネル型に限ったものではなく、多様化した機能を有する装置であれば、同様の効果が期待できる。
【００１６】
図２は小型情報処理装置における処理フローである。
バーコード及びICタグ読み取りスキャナーで取得した薬品コードを音声出力処理に伝達し、音声案内が実行される。
【産業上の利用可能性】
【００１７】
調剤薬局において調剤業務を実施する際に使用し、医薬品および医療材料の誤認識・誤投薬・誤使用を防止する。
【図面の簡単な説明】
【００１８】
【図１】本考案で使用するの機器構成図である。
【図２】本考案で使用する小型情報処理装置における処理フローである。
【符号の説明】
【００１９】
１  小型情報処理装置
２  バーコード及びICタグ読み取りスキャナー
３  電子天秤
４  バーコード及びICタグ読み取りスキャナーによる薬品情報の読み取り
５  小型情報処理装置内の音声出力処理